【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
入力フレームまたはパケットを受信してバッファし、前記受信パケットからデータフレームを抽出するジッタバッファ手段と、
前記抽出データフレームを復号する前記ジッタバッファ手段に接続された復号手段と、
復号通話フレームを適応的にプレイアウトする時間計測手段と、
に接続可能な制御ロジック手段であって、
前記制御ロジック手段は、状態復帰機能が利用可能であるかに関する知識を取得する手段を備え、
前記制御ロジック手段は、
前記ジッタバッファ手段と、前記時間計測手段と、前記復号手段との少なくとも１つから少なくとも１つのパラメータを取り出し、
前記ジッタバッファ手段からの前記少なくとも１つのパラメータと、前記状態復帰機能が利用可能であるかに関する前記知識とに基づいて、前記ジッタバッファ手段の初期バッファ時間を適応的に制御し、
前記時間計測手段または前記デコーダから取り出された前記少なくとも１つのパラメータと、前記状態復帰機能が利用可能であるかに関する前記知識とに基づいて、前記時間計測手段の時間計測量の少なくとも１つを適応的に制御する
ことを特徴とする制御ロジック手段。
【請求項２】
前記ジッタバッファ手段から前記取り出すパラメータがチャネル特性に関係することを特徴とする請求項１に記載の制御ロジック手段。
【請求項３】
前記復号手段から前記取り出すパラメータが音響特性に関係することを特徴とする請求項１または請求項２に記載の制御ロジック手段。
【請求項４】
前記時間計測手段から前記取り出すパラメータが、音響特性と、歪み情報と、達成する時間計測との少なくとも１つに関係することを特徴とする請求項１乃至請求項３のいずれか１項に記載の制御ロジック手段。
【請求項５】
ＣＰＵの負荷に関係するさらなるパラメータを取り出すようにし、
前記ジッタバッファ手段の初期バッファ時間と、前記取り出したパラメータに基づく前記時間計測手段の時間計測量と、の少なくとも１つをさらに適応的に制御する
ことを特徴とする請求項１乃至請求項４のいずれか１項に記載の制御ロジック手段。
【請求項６】
前記ＣＰＵの負荷に関係する情報を取り出すようにし、前記ＣＰＵの負荷に関係する情報に基づき状態復帰手段を適応的に制御することを特徴とする請求項１乃至請求項５のいずれか１項に記載の制御ロジック手段。
【請求項７】
前記ＣＰＵの負荷に関係する前記取り出す情報が、時間計測操作に関連付けられることを特徴とする請求項１乃至請求項６のいずれか１項に記載の制御ロジック手段。
【請求項８】
前記ＣＰＵの負荷に関係する前記取り出す情報が、時間復帰操作に関連付けられることを特徴とする請求項６または請求項７に記載の制御ロジック手段。
【請求項９】
前記ＣＰＵの負荷に関係する情報に基づいて前記状態復帰手段を適応的に動作可能または動作不可能にすることを特徴とする請求項６乃至請求項８のいずれか１項に記載の制御ロジック手段。
【請求項１０】
前記状態復帰を少数のパラメータ数に適応的に制限するか、または前記ＣＰＵの負荷に関係する情報に基づく粗い分析により実行することを特徴とする請求項６乃至請求項８のいずれか１項に記載の制御ロジック手段。
【請求項１１】
前記ジッタバッファ手段の初期バッファ時間と、前記時間計測手段と、前記状態復帰手段の時間計測量との少なくとも１つを、フレーム毎を基本に適応的に制御することを特徴とする請求項１乃至請求項１０のいずれか１項に記載の制御ロジック手段。
【請求項１２】
入力フレームまたはパケットを受信してバッファし、前記受信パケットからデータフレームを抽出し、前記抽出データフレームを復号するデコーダが接続されたジッタバッファ手段と、
復号通話フレームを適応的にプレイアウトする前記デコーダに接続された時間計測手段と、
を制御する方法であって、
−状態復帰機能が利用可能であるかに関する知識を取得するステップと、
−前記ジッタバッファ手段と、前記時間計測手段と，前記デコーダと、の少なくとも１つから、少なくとも１つのパラメータを取り出すステップと、
−前記ジッタバッファ手段からの前記少なくとも１つのパラメータと、前記状態復帰機能が利用可能であるかに関する前記知識とに基づいて、前記ジッタバッファ手段の初期バッファ時間を適応的に制御し、前記時間計測手段または前記デコーダから取り出す前記少なくとも１つのパラメータと、前記状態復帰機能が利用可能であるかに関する前記知識とに基づいて、前記時間計測手段の時間計測量の少なくとも１つを適応的に制御する、ステップと、
を有することを特徴とする方法。
【請求項１３】
前記ジッタバッファ手段から前記取り出すパラメータがチャネル特性に関係することを特徴とする請求項１２に記載の方法。
【請求項１４】
前記デコーダから前記取り出すパラメータが音響特性に関係することを特徴とする請求項１２または請求項１３に記載の方法。
【請求項１５】
前記時間計測手段から前記取り出すパラメータが、音響特性と、歪み情報と、達成する時間計測との少なくとも１つに関係することを特徴とする請求項１２乃至請求項１４のいずれか１項に記載の方法。
【請求項１６】
−前記ＣＰＵの負荷に関係するさらなるパラメータを取り出すステップと、
−前記ジッタバッファ手段の初期バッファ時間と、前記取り出すパラメータに基づく前記時間計測手段の時間計測量と、の少なくとも１つを適応的に制御するステップと、
をさらに有することを特徴とする請求項１２乃至請求項１５のいずれか１項に記載の方法。
【請求項１７】
−前記ＣＰＵの負荷に関係する情報を取り出すステップと、
−前記ＣＰＵの負荷に関係する情報に基づき前記状態復帰手段を適応的に制御するステップと、
をさらに有することを特徴とする請求項１２乃至請求項１６のいずれか１項に記載の方法。
【請求項１８】
前記ＣＰＵの負荷に関係する前記取り出す情報が、時間計測操作に関連付けられることを特徴とする請求項１２乃至請求項１７のいずれか１項に記載の方法。
【請求項１９】
前記ＣＰＵの負荷に関係する前記取り出す情報が、時間復帰操作に関連付けられることを特徴とする請求項１７または請求項１８に記載の方法。
【請求項２０】
前記状態復帰手段を前記ＣＰＵの負荷に関係する情報に基づいて適応的に動作可能または動作不可能にすることを特徴とする請求項１７乃至請求項１９のいずれか１項に記載の方法。
【請求項２１】
前記状態復帰を少数のパラメータ数に制限するか、または前記ＣＰＵの負荷に関係する情報に基づく粗い分析により実行することを特徴とする請求項１７乃至請求項１９のいずれか１項に記載の方法。
【請求項２２】
−前記ジッタバッファ手段の初期バッファ時間と、前記時間計測手段および前記状態復帰手段の時間計測量との少なくとも１つを、フレーム毎を基本に適応的に制御するステップを有することを特徴とする請求項１２乃至請求項２１のいずれか１項に記載の方法。
【請求項２３】
パケットベース通信システムが有する受信機内のコンピュータが有する前記内部メモリに直接ロードできるコンピュータプログラムであって、請求項１２乃至請求項２２のいずれか１項に記載の方法が有する各ステップを該コンピュータに実行させるソフトウェアコード部を有するコンピュータプログラム。
【請求項２４】
コンピュータが使用可能な媒体上に蓄積するコンピュータプログラムであって、パケットベース通信システムが有する受信機内のコンピュータに、請求項１２乃至請求項２２のいずれか１項に記載の方法が有する各ステップの実行を制御させる読み出し可能なコンピュータプログラム。